(57)【要約】      （修正有）【課題】抜け毛を確実にからめ取り、容易に廃棄できる抜け毛対策用浴室ゴミ箱を提供する。【解決手段】ゴミ箱の底から抜け毛８をからめ取る棒を立設し、ゴミ箱の内側にビニール袋７を装着して簡単に廃棄できる構造にする。【選択図】図５
0003201178.tif 000002
【実用新案登録請求の範囲】
【請求項１】
上部開放有底のゴミ箱を設け、入浴時の洗髪で出る抜け毛をからめ取り易くするため、上部に抜け毛との摩擦力を高める加工を施した２本の棒を、ゴミ箱本体の底部からゴミ箱本体の上辺より高くなるよう平行に立設し、ゴミ箱の底部には通水孔を設け湯水を排水し、底上げした底部より下の外周部には開口部を設け、通水孔から流れ落ちた湯水の排水を確保する構造を特徴とする抜け毛対策用浴室ゴミ箱。
【請求項２】
上部に抜け毛との摩擦力を高める加工を、雄ネジ状のスパイラルの溝とした請求項１記載の抜け毛対策用浴室ゴミ箱。
【請求項３】
上部に抜け毛との摩擦力を高める加工を、横または縦または斜めの平行な溝とした請求項１記載の抜け毛対策用浴室ゴミ箱。
【請求項４】
上記上部に抜け毛との摩擦力を高める加工を、ザラザラ模様とした請求項１記載の抜け毛対策用浴室ゴミ箱。
【請求項５】
上記上部に抜け毛との摩擦力を高める加工を、ゴムを張り付けるとした請求項１記載の抜け毛対策用浴室ゴミ箱。
【請求項６】
廃棄するまでに溜まった抜け毛等のゴミを隠すために上部に被せる蓋を付けた請求項１記載の構造の抜け毛対策用浴室ゴミ箱。
【考案の詳細な説明】
【技術分野】
【０００１】      本考案は浴室用ゴミ箱に関し、抜け毛を確実にからめ取り、容易に廃棄できる構造のゴミ箱に関する。
【背景技術】
【０００２】      入浴時の洗髪で出る抜け毛は湯水と共に流れて排水口に溜まる。また一部の抜け毛は手指や体に纏わり付き付着する。【０００３】      排水口に溜まった抜け毛は不衛生で、見た目にも見苦しく、さらに排水口の詰りの原因にもなる。【０００４】      特に長い抜け毛は手や体に付着し纏わり付いて、簡単にゴミ箱に廃棄しづらい。【０００５】      排水口に溜まった抜け毛は手指やピンセットで掴み、浴室内のゴミ箱に廃棄することが行われている。【０００６】      排水口に溜まった抜け毛や手や体に付着した抜け毛は濡れているために、手指に纏わりついて廃棄しづらいという問題点がある。【０００７】      特許文献１には、ゴミ箱の底部からテーパー付き棒を立設し、排水口部分から掴み上げた抜け毛をこのテーパー付き棒に巻き付けることにより手指やピンセットから引き離し、その後にテーパー付き棒の上から水を掛けてゴミ箱底部に抜け毛を流し落とすことにより廃棄を容易にする技術が記載されている。
【先行技術文献】
【特許文献】
【０００８】
【特許文献１】実開平０５−０５１８０２号
【考案の概要】
【考案が解決しようとする課題】
【０００９】      特許文献１の技術ではテーパー棒に巻き付いた抜け毛は容易に手指から引き離せるものの、滑って簡単に巻き付けられない抜け毛は手指から引き離すのが容易ではない。また長い抜け毛をテーパー棒に巻き付けるには時間がかかり手指から引き離しゴミ箱内に廃棄するには手間がかかる。また外部のゴミ入れに廃棄する時にもゴミ箱内に付着した抜け毛を引き離す手間が必要になる。さらにゴミ箱内に廃棄した抜け毛はその底部に溜まったままであるので、入浴時に視界に入り不快を感じる課題を有している。
【課題を解決するための手段】
【００１０】      そこで本考案の課題は、抜け毛をよりからみ易くするため、上部に抜け毛との摩擦力を高める加工を施した棒を、ゴミ箱本体の底部から２本平行に立設し、ゴミ箱本体の上辺より２０ｍｍ前後高くした。そして長い髪も早くからめ取れるように、その２本の棒を跨いで巻き付けられる構造にした。【００１１】      また実際に使用する場合は、ゴミを容易に廃棄できるようにゴミ箱の内側に、開口部を有する市販の薄いビニール袋を装着して使用するが、そのビニール袋には事前に底部に排水用の穴を１つ開けており、その排水用の穴を１つ開ける時と、薄いビニール袋をゴミ箱の内側に装着するための２つの穴を開ける時も、上部に抜け毛との摩擦力を高める加工を施した棒に押し込むことで容易に穴を開けられる。【００１２】      ゴミ箱本体の底部に数か所の通水孔を設け、さらに底部を底上げして底部より下の外周に、三等配の開口部を開けているので排水が容易である。【００１３】      そしてゴミ箱内に廃棄した抜け毛が、入浴時に視界に入り不快を感じることを防ぐために蓋を設けた。
【考案の効果】
【００１４】      本考案は棒の上部に抜け毛との摩擦力を高める加工を施し、その棒を底部から２本平行に立設し、ゴミ箱本体の上辺より２０ｍｍ前後高くした構造であることにより、排水口に溜まった抜け毛も、濡れて手や体に付着し纏わりついている抜け毛も、その２本の棒に巻き付けられるので長さにかかわらず容易にからめ取ることができる。【００１５】      本考案は薄いビニール袋をゴミ箱本体の内側に装着して使用する構造であるので、薄いビニール袋をゴミ箱本体から引き出して廃棄する場合でも、上部に抜け毛との摩擦力を高める加工を施した２本の棒の間の薄いビニール袋の底部が、２本の棒に巻き付いた抜け毛を一緒に引き上げてくれるので、ほぼすべての抜け毛を容易に廃棄できる。【００１６】      本考案は薄いビニール袋の底部にあらかじめ通水用の穴を開けて使用するため、薄いビニール袋をゴミ箱本体から引き出す時にも、薄いビニール袋の中に溜まった余分な水分を容易に排水できる。【００１７】      本考案は蓋を設けているために、ゴミ箱に溜まった抜け毛や他のゴミが入浴中に視界に入らず快適に入浴できる。
【図面の簡単な説明】
【００１８】
【図１】本考案に関わる抜け毛対策用浴室ゴミ箱の正面図である。（一部破断）
【図２】本考案に関わる抜け毛対策用浴室ゴミ箱の平面図である。
【図３】本考案に関わる抜け毛対策用浴室ゴミ箱の底面図である。
【図４】蓋の正面図である。
【図５】本考案に関わる抜け毛対策用浴室ゴミ箱の実施形態を示す正面図である。（一部破断）
【考案を実施するための形態】
【００１９】  以下本考案の実施の形態を図１〜図５に基づいて説明する。
図１は抜け毛対策用浴室ゴミ箱の正面図である。ゴミ箱本体１の底部５から上方向に、上部に抜け毛との摩擦力を高める加工を施した２本の棒２ａと２ｂを平行に立設する。２本の棒２ａと２ｂはゴミ箱本体１の上辺より約２０ｍｍ高くする。
【００２０】  図２は抜け毛対策用浴室ゴミ箱の平面図である。底部５に数か所の通水孔４を設け湯水を排水する。
【００２１】  図３は抜け毛対策用浴室ゴミ箱の底面図である。底上げした底部５より下の外周部に三等配の開口部６を設けて、通水孔４から流れ落ちる湯水を排水する。
【００２２】  図４はゴミ箱本体１の蓋９の正面図である。取っ手１０が付いておりその形状は全体のデザインで変更可能とする。
【００２３】  図４の蓋９は、抜け毛対策用ゴミ箱の中に残った抜け毛８等の不快なゴミを隠すためにゴミ箱本体１の上に被せて使用する。
【００２４】  図５は抜け毛対策用浴室ゴミ箱を実際に使用した場合の正面図である。ゴミ箱本体１の内側に薄いビニール袋７の開口部を上にして装着して使用する。薄いビニール袋７の底部中心辺りに、底部５から立設された２本の棒２ａと２ｂの内１本で排水用の穴を１つ開け、さらにその穴の左右に２本の棒２ａと２ｂで穴を１つずつ開けて、そのままゴミ箱本体１の底部５まで押し下げる。薄いビニール袋７の上部はゴミ箱本体１の上辺から外に折り曲げて設置する。
【００２５】  図５の抜け毛８等のゴミを最終的に廃棄する場合は、薄いビニール袋７をゴミ箱本体１からそのまま引き上げると、摩擦力を高める加工を施した２本の棒２ａと棒２ｂを跨いで巻き付けた抜け毛８も、ほぼ全部一緒に引き上げられそのまま廃棄できる。
【００２６】  図１の棒３ａと３ｂの、抜け毛との摩擦力を高める加工は、雄ネジ状のスパイラルの溝加工、横または縦または斜めの平行な溝加工、ザラザラ模様加工、ゴムを張り付ける等を言い、抜け毛との摩擦力を高める理由は、濡れている抜け毛を棒に巻き付ける時に滑るのを防ぐためである。
また棒２ａと２ｂを２本立設する理由は、排水口に溜まった抜け毛や体に纏わり付いた抜け毛を指で掴んで拾い上げ、その長い抜け毛を２本の棒を跨いで巻き付ける時に１回の距離が長くなり手間が省けるためである。
さらに棒２ａと２ｂをゴミ箱本体１の上辺より約２０ｍｍ高くする理由は、抜け毛を棒２ａと２ｂに巻き付ける時に、ゴミ箱本体１に指が触れる確率を少なくし楽に巻き付けるためであり、約２０ｍｍ高ければ充分その目的を果たす事が出来る。
【符号の説明】
【００２７】１    ゴミ箱本体
２    棒（２ａ，２ｂ）
３    抜け毛との摩擦力を高めるための加工部（３ａ，３ｂ）
４    通水孔
５    底部
６    下部外周部の開口部
７    浴室用ゴミ箱の内側に装着する薄いビニール袋
８    実際に使用する場合の２本の棒に巻き付けた抜け毛
９    蓋
１０  蓋の取っ手
【図１】
0003201178.tif 000003
【図２】
0003201178.tif 000004
【図３】
0003201178.tif 000005
【図４】
0003201178.tif 000006
【図５】
0003201178.tif 000007